(57)【特許請求の範囲】
【請求項１】
透液性表面シートと裏面シートとの間に吸収体が介在された吸収性物品において、
前記吸収性物品は、四方の外形線が、幅方向両側の外形を画成する側縁外形線と、前端の外形を画成する前端縁外形線と、後端の外形を画成する後端縁外形線とから構成され、
前記側縁外形線は、吸収性物品の長手方向中央に位置する中央部外形線と、この中央部外形線より前側に位置する前側外形線と、前記中央部外形線と前側外形線との間を接続するとともに、外形線の方向を急激に変化させる前側急変部と、前記前側外形線と前端縁外形線とを接続するとともに、外形線の方向を反転させる反転部と、前記中央部外形線より後側に位置する後側外形線と、前記中央部外形線と後側外形線との間を接続するとともに、外形線の方向を急激に変化させる後側急変部と、前記後側外形線と後端縁外形線との間を接続するとともに、外形線の方向を反転させる反転部とから構成され、
前記前側急変部は、前記側縁外形線の外側に中心点を有する１０mm以下の曲率半径Ｒ１の円弧で構成され、前記中央部外形線は前記側縁外形線の外側に中心点を有する前記曲率半径Ｒ１に対して２０倍以上の曲率半径Ｒ３の円弧又は直線で構成され、前記前側外形線は前記側縁外形線の外側に中心点を有する前記曲率半径Ｒ１に対して１０倍以上の曲率半径Ｒ２の円弧又は直線で構成され、前記中央部外形線の始端と終端とを結んだ線と前記前側外形線の始端と終端とを結んだ線との交角θ１が４５度以上６０度以下に設定され、
前記後側急変部は、前記側縁外形線の外側に中心点を有する１０mm以下の曲率半径Ｒ４の円弧で構成され、前記後側外形線は前記側縁外形線の外側に中心点を有する前記曲率半径Ｒ４に対して１５倍以上の曲率半径Ｒ５の円弧又は直線で構成され、前記中央部外形線の始端と終端とを結んだ線と前記後側外形線の始端と終端とを結んだ線との交角θ２が３０度以上５０度以下に設定されていることを特徴とする吸収性物品。
【請求項２】
前記前側急変部は、排尿口対応部から１０〜２０mm前側の位置に形成されている請求項１記載の吸収性物品。
【請求項３】
前記交角θ１、θ２は、θ１＞θ２の関係にある請求項１，２いずれかに記載の吸収性物品。
【請求項４】
前記後側急変部は、臀部の溝の開始位置に対応する部位から１０〜２０mm前側の位置に形成されている請求項１〜３いずれかに記載の吸収性物品。
【請求項５】
前記吸収性物品の肌当接面側の両側部に、肌側に起立する立体ギャザーが設けられ、
前記立体ギャザーは、少なくとも前記前側急変部を含む範囲が起立範囲とされている請求項１〜４いずれかに記載の吸収性物品。
【請求項６】
前記前側急変部における吸収性物品の幅寸法は、前記後側急変部における吸収性物品の幅寸法と同等である請求項１〜５いずれかに記載の吸収性物品。
【請求項７】
前記吸収性物品は、前記透液性表面シートの面側に、左右対で略長手方向に沿うとともに、長手方向中央部で離隔幅が極小となるエンボス溝が形成され、
前記エンボス溝は、少なくとも前記前側急変部が介在する幅方向領域に、形成されないか、他の領域よりエンボス深さを浅くするかエンボス溝幅を狭くして形成されている請求項１〜６いずれかに記載の吸収性物品。
【請求項８】
前記吸収性物品は、前記透液性表面シートの面側に、左右対で略長手方向に沿うとともに、長手方向中央部で離隔幅が極小となるエンボス溝が形成され、
前記エンボス溝は、少なくとも前記前側急変部が介在する幅方向領域において、離隔幅が極大となるように形成されている請求項１〜７いずれかに記載の吸収性物品。
【請求項９】
前記吸収体は、少なくとも前記前側急変部が介在する幅方向領域に、該吸収体を長手方向に折り曲げやすくするための折り容易化手段が施されている請求項１〜８いずれかに記載の吸収性物品。
【請求項１０】
少なくとも前記前側急変部より前側の領域に、補強層が設けられている請求項１〜９いずれかに記載の吸収性物品。
【請求項１１】
前記吸収性物品の幅方向両側部であって、少なくとも前記前側急変部を含む領域にそれぞれ、吸収性物品の長手方向に沿って弾性伸縮部材が配設されている請求項１〜１０いずれかに記載の吸収性物品。
【請求項１２】
前記吸収性物品は、周縁部のほぼ全周に亘って全周シール部が設けられ、少なくとも前記前側急変部を含む領域に、前記全周シール部の間欠部が形成されるか、前記全周シール部の一部を窪ませた凹部が形成されている請求項１〜１１いずれかに記載の吸収性物品。
【発明の詳細な説明】
【技術分野】
【０００１】
本発明は、主には失禁パッド、生理用ナプキン、おりものシート、医療用パッド、トイレタリー等に使用される吸収性物品に係り、装着時に自然と身体の形状に沿ってフィットするようにした吸収性物品に関する。
【背景技術】
【０００２】
従来より、失禁パッド、パンティライナー、生理用ナプキンなどの吸収性物品として、ポリエチレンシートまたはポリエチレンシートラミネート不織布などの不透液性裏面シートと、不織布または透液性プラスチックシートなどの透液性表面シートとの間に粉砕パルプ等の紙綿からなる吸収体を介在したものが知られている。
【０００３】
この種の吸収性物品では、装着時に身体の形状に沿ってフィットしやすくしたものが種々開発されている。例えば、下記特許文献１では、表面材側が部分的に凸となるように、バックシート側を内側に折り返して立体領域を形成するために、バックシート外面には、このバックシートの折り返し部分の対向する面を接着することにより、折り返し状態を維持するための立体形成用接着部を有している吸収性パッドが開示されている。
【０００４】
また、下記特許文献２では、製品の短手方向の中央領域において、少なくとも吸収体側に固定され、配置方向に関して収縮する力を付与する弾性体と、前記弾性体の収縮作用が働く領域の近傍において、吸収体に形成されたスリットとを有する吸収性製品が開示されている。
【先行技術文献】
【特許文献】
【０００５】
【特許文献１】特開２００４−８９２７０号公報
【特許文献２】特開２００４−１０５７２３号公報
【発明の概要】
【発明が解決しようとする課題】
【０００６】
しかしながら、上記特許文献１、２記載の吸収性物品では、装着前に身体の形状に沿うような立体を形成する手間がかかるとともに、立体を作るために接着部や弾性体を設けなければならず設備や資材にコストがかかるという問題があった。
【０００７】
そこで本発明の主たる課題は、装着時に身体の形状に沿うような立体を作る手間をかけず、装着することで自然と身体の形状に沿ってフィットするようにした吸収性物品を提供することにある。
【課題を解決するための手段】
【０００８】
上記課題を解決するために請求項１に係る本発明として、透液性表面シートと裏面シートとの間に吸収体が介在された吸収性物品において、
前記吸収性物品は、四方の外形線が、幅方向両側の外形を画成する側縁外形線と、前端の外形を画成する前端縁外形線と、後端の外形を画成する後端縁外形線とから構成され、
前記側縁外形線は、吸収性物品の長手方向中央に位置する中央部外形線と、この中央部外形線より前側に位置する前側外形線と、前記中央部外形線と前側外形線との間を接続するとともに、外形線の方向を急激に変化させる前側急変部と、前記前側外形線と前端縁外形線とを接続するとともに、外形線の方向を反転させる反転部と、前記中央部外形線より後側に位置する後側外形線と、前記中央部外形線と後側外形線との間を接続するとともに、外形線の方向を急激に変化させる後側急変部と、前記後側外形線と後端縁外形線との間を接続するとともに、外形線の方向を反転させる反転部とから構成され、
前記前側急変部は、前記側縁外形線の外側に中心点を有する１０mm以下の曲率半径Ｒ１の円弧で構成され、前記中央部外形線は前記側縁外形線の外側に中心点を有する前記曲率半径Ｒ１に対して２０倍以上の曲率半径Ｒ３の円弧又は直線で構成され、前記前側外形線は前記側縁外形線の外側に中心点を有する前記曲率半径Ｒ１に対して１０倍以上の曲率半径Ｒ２の円弧又は直線で構成され、前記中央部外形線の始端と終端とを結んだ線と前記前側外形線の始端と終端とを結んだ線との交角θ１が４５度以上６０度以下に設定され、
前記後側急変部は、前記側縁外形線の外側に中心点を有する１０mm以下の曲率半径Ｒ４の円弧で構成され、前記後側外形線は前記側縁外形線の外側に中心点を有する前記曲率半径Ｒ４に対して１５倍以上の曲率半径Ｒ５の円弧又は直線で構成され、前記中央部外形線の始端と終端とを結んだ線と前記後側外形線の始端と終端とを結んだ線との交角θ２が３０度以上５０度以下に設定されていることを特徴とする吸収性物品が提供される。
【０００９】
上記請求項１記載の発明では、幅方向両側の外形を画成する側縁外形線に外形線の方向を急激に変化させる前側急変部を設けることによって、装着時に吸収性物品を装着することで自然と身体の形状に沿って変形するようにしている。吸収性物品は、装着時に大腿部付け根から内側方向に向かう圧縮力によって、吸収性物品の長手方向中央部では幅方向中央部が肌側に隆起するように変形する一方で、この反動で幅方向両側部が非肌側に引き下がるように変形する。この幅方向両側部の非肌側への変形は長手方向前側にも伝播するが、このとき吸収性物品の長手方向前側では、中央部外形線と前側外形線との間に外形線の方向を急激に変化させる急変部を介して両外形線が接続され、前側外形線領域で前端側に行くに従って急激に吸収性物品の幅方向寸法を拡大させているため、前記前側急変部が基点となって、中央部とは逆に幅方向両側部が肌側に反り返るように変形する。従って、本吸収性物品は、装着時に身体の形状に沿うような立体を作る手間をかけずに、装着するだけで自然と装着者の股間部から下腹部にかけての身体の形状に沿ってフィットするようになる。
【００１０】
上記本発明では、前側急変部、中央部外形線及び前側外形線の形状を具体的に規定するとともに、前側外形線領域で前端側に行くに従って吸収性物品の幅方向寸法を拡大させる角度範囲について具体的に規定している。前記中央部外形線の始端と終端とを結んだ線と前記前側外形線の始端と終端とを結んだ線との交角θ１を４５度以上６０度以下としたのは、身体の股間部の鼠蹊部の角度に基づいている。
【００１１】
一方、本発明では、吸収性物品の前側に加えて後側にも折れ基点となる後側急変部を形成することによって、後側を臀部の丸みに沿って変形し、身体へのフィット性がより向上するようになる。後側では臀部の丸みにフィットするように、後側外形線は、前側外形線より大きめの曲率半径Ｒ５で形成している。
【００１２】
請求項２に係る本発明として、前記前側急変部は、排尿口対応部から１０〜２０mm前側の位置に形成されている請求項１記載の吸収性物品が提供される。
【００１３】
上記請求項２記載の発明では、排尿口の位置に合わせて前側の折れ基点となる前側急変部の位置を規定してあるため、身体へのフィット性がより向上するようになる。
【００１４】
請求項３に係る本発明として、前記交角θ１、θ２は、θ１＞θ２の関係にある請求項１、２いずれかに記載の吸収性物品が提供される。
【００１５】
上記請求項３記載の発明では、身体の構造が前側の股間部から下腹部にかけての角度の方が、後側の股間部から臀部にかけての角度より急であるため、この身体の形状にフィットするように、前側の交角θ１の方が後側の交角θ２より大きく形成している。
【００１６】
請求項４に係る本発明として、前記後側急変部は、臀部の溝の開始位置に対応する部位から１０〜２０mm前側の位置に形成されている請求項１〜３いずれかに記載の吸収性物品が提供される。
【００１７】
上記請求項４記載の発明では、臀部の溝の開始位置に合わせて後側の折れ基点となる後側急変部の位置を規定してあるため、身体へのフィット性がより向上するようになる。
【００１８】
請求項５に係る本発明として、前記吸収性物品の肌当接面側の両側部に、肌側に起立する立体ギャザーが設けられ、
前記立体ギャザーは、少なくとも前記前側急変部を含む範囲が起立範囲とされている請求項１〜４いずれかに記載の吸収性物品が提供される。
【００１９】
上記請求項５記載の発明では、肌当接面側の両側部に立体ギャザーを設け、この立体ギャザーの少なくとも前側急変部を含む範囲を起立範囲とすることによって、装着時に吸収性物品が自然に変形することに加えて、立体ギャザーの収縮力によって変形しやすくなるようにしている。
【００２０】
請求項６に係る本発明として、前記前側急変部における吸収性物品の幅寸法は、前記後側急変部における吸収性物品の幅寸法と同等である請求項１〜５いずれかに記載の吸収性物品が提供される。
【００２１】
上記請求項６記載の発明では、前後の急変部における吸収性物品の幅寸法を同等とすることによって、脚からの圧力が前後でほぼ同等に作用するようになるため、前側又は後側に偏らずに変形するようにしている。
【００２２】
請求項７に係る本発明として、前記吸収性物品は、前記透液性表面シートの面側に、左右対で略長手方向に沿うとともに、長手方向中央部で離隔幅が極小となるエンボス溝が形成され、
前記エンボス溝は、少なくとも前記前側急変部が介在する幅方向領域に、形成されないか、他の領域よりエンボス深さを浅くするかエンボス溝幅を狭くして形成されている請求項１〜６いずれかに記載の吸収性物品が提供される。
【００２３】
上記請求項７記載の発明では、透液性表面シートの面側にエンボス溝を形成した場合について規定している。この場合、エンボス溝は長手方向中央部で離隔幅を極小とすることによって、幅方向両側から作用する脚圧を受け止めて少なくとも前側が変形しやすくなるようにすることが好ましい。また、前側急変部が介在する幅方向領域は、装着時に吸収性物品の折れ基点となるため、この領域には吸収性物品の折り曲げが抑制されるようなエンボス溝を形成しないか、他の領域よりエンボス圧を小さくしている。
【００２４】
請求項８に係る本発明として、前記吸収性物品は、前記透液性表面シートの面側に、左右対で略長手方向に沿うとともに、長手方向中央部で離隔幅が極小となるエンボス溝が形成され、
前記エンボス溝は、少なくとも前記前側急変部が介在する幅方向領域において、離隔幅が極大となるように形成されている請求項１〜８いずれかに記載の吸収性物品が提供される。
【００２５】
上記請求項８記載の発明では、少なくとも前側急変部が介在する幅方向領域において、エンボス溝の離隔幅が極大となるように形成することによって、この離隔幅を大きくした部分が折れ基点となるようにしている。
【００２６】
請求項９に係る本発明として、前記吸収体は、少なくとも前記前側急変部が介在する幅方向領域に、該吸収体を長手方向に折り曲げやすくするための折り容易化手段が施されている請求項１〜８いずれかに記載の吸収性物品が提供される。
【００２７】
上記請求項９記載の発明では、吸収性物品の前側を折り曲げる際に最も抵抗となる吸収体を折り曲げやすくするため、種々の形態で折り容易化手段を施すようにしている。折り容易化手段としては、吸収体の側縁に凹部を設けたり、前側急変部が介在する幅方向領域に沿って吸収体厚を薄くしたりすることなどが挙げられる。
【００２８】
請求項１０に係る本発明として、少なくとも前記前側急変部より前側の領域に、補強層が設けられている請求項１〜９いずれかに記載の吸収性物品が提供される。
【００２９】
上記請求項１０記載の発明では、前側急変部より前側で急激に吸収性物品の幅方向寸法が拡大しているため、この拡大部分に補強層を設けることによって、この部分にコシを持たせるようにしている。
【００３０】
請求項１１に係る本発明として、前記吸収性物品の幅方向両側部であって、少なくとも前記前側急変部を含む領域にそれぞれ、吸収性物品の長手方向に沿って弾性伸縮部材が配設されている請求項１〜１０いずれかに記載の吸収性物品が提供される。
【００３１】
上記請求項１１記載の発明では、吸収性物品の幅方向両側部であって、少なくとも前側急変部を含む領域にそれぞれ、吸収性物品の長手方向に沿って弾性伸縮部材を配設することによって、前側急変部が折れ基点として吸収性物品の前側を折り曲げやすくしている。
【００３２】
請求項１２に係る本発明として、前記吸収性物品は、周縁部のほぼ全周に亘って全周シール部が設けられ、少なくとも前記前側急変部を含む領域に、前記全周シール部の間欠部が形成されるか、前記全周シール部の一部を窪ませた凹部が形成されている請求項１〜１１いずれかに記載の吸収性物品が提供される。
【００３３】
上記請求項１２記載の発明では、前側急変部を含む領域に、全周シール部の間欠部を形成するか、全周シール部の一部を窪ませた凹部を形成することによって、この間欠部又は凹部が折れ基点となって吸収性物品の前側を折り曲げやすくしている。
【発明の効果】
【００３４】
以上詳説のとおり本発明によれば、装着時に身体の形状に沿うような立体を作る手間をかけずに、装着することで自然と身体の形状に沿ってフィットできるようになる。
【図面の簡単な説明】
【００３５】
【図１】本発明に係る失禁パッド１の一部破断展開図である。
【図２】そのII−II線矢視図である。
【図３】人体の股間部前面を示す図である。
【図４】装着時に失禁パッド１にかかる圧力状態を示す下方からの視図である。
【図５】装着時の変形状態を示す失禁パッド１の縦断面図（図４のV−V線矢視図）である。
【図６】他の形態に係る失禁パッド１の展開図である。
【図７】図６のVII−VII線矢視図である。
【図８】(A)〜(C)は他の形態に係る失禁パッド１の展開図である。
【図９】他の形態に係る失禁パッド１の展開図である。
【図１０】他の形態に係る失禁パッド１の展開図である。
【図１１】他の形態に係る失禁パッド１の展開図である。
【図１２】他の形態に係る失禁パッド１の展開図である。
【図１３】他の形態に係る失禁パッド１の展開図である。
【発明を実施するための形態】
【００３６】
以下、本発明の実施の形態について図面を参照しながら詳述する。
【００３７】
〔失禁パッド１の基本構造〕
本発明に係る失禁パッド１は、ポリエチレンシート、ポリプロピレンシートなどからなる不透液性裏面シート２と、尿などを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、表面両側部にそれぞれ長手方向に沿って形成されたサイド不織布７，７とから構成されている。前記吸収体４の周囲において、その上下端縁部では、前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布７とがホットメルトなどの接着剤やヒートシール等の接着手段によって接合されている。
【００３８】
以下、さらに前記失禁パッド１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００３９】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００４０】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記パルプの目付は、２００〜１０００ｇ／ｍ２が好ましく、２９０〜９００ｇ／ｍ２がより好ましい。また、ポリマーの目付は、１０〜５００ｇ／ｍ２が好ましく、１５〜４００ｇ／ｍ２がより好ましい。
【００４１】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００４２】
一方、本失禁パッド１の表面がわ両側部にはそれぞれ、長手方向に沿ってかつパッド１のほぼ全長に亘ってサイド不織布７，７が設けられている。
【００４３】
前記サイド不織布７としては、重要視する機能の点から撥水処理不織布または親水処理不織布を使用することができる。たとえば、尿等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、パッド両側部における尿等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。前記サイド不織布７は、目付が５〜２５ｇ／ｍ２のものが使用でき、１０〜２０ｇ／ｍ２のものが好ましい。なお、前記サイド不織布７を配設せずに、透液性表面シート３を失禁パッド１の両側縁まで延在させてもよい。
【００４４】
〔失禁パッド１の外形線〕
失禁パッド１は、図１に示されるように、四方の外形線が、幅方向両側の外形を画成する側縁外形線１０、１０と、前端の外形を画成する前端縁外形線１１と、後端の外形を画成する後端縁外形線１２とから構成されている。
【００４５】
前記側縁外形線１０は、吸収性物品の長手方向中央に位置する中央部外形線１３と、この中央部外形線１３より前側に位置する前側外形線１４と、前記中央部外形線１３と前側外形線１４との間を接続するとともに、外形線の方向を急激に変化させる前側急変部１５と、前記前側外形線１４と前端縁外形線１１との間を接続するとともに、外形線の方向を反転させる反転部１６と、前記中央部外形線１３より後側に位置する後側外形線１７と、前記中央部外形線１３と後側外形線１７との間を接続するとともに、外形線の方向を急激に変化させる後側急変部１８と、前記後側外形線１７と後端縁外形線１２との間を接続するとともに、外形線の方向を反転させる反転部１９とから構成されている。なお、本失禁パッド１では、前記前側及び後側の急変部１５、１８のうち、少なくとも前側の急変部１５を備えていればよく、後側急変部１８は設けずに通常の緩やかな曲線状などで形成しても良い。
【００４６】
前記前側外形線１４の形成領域では、前端側に行くに従って急激に失禁パッド１の幅寸法を拡大させている。同様に、後側外形線１７の形成領域では、後端側に行くに従って急激に失禁パッド１の幅寸法を拡大させている。
【００４７】
更に具体的に側縁外形線１０の構造について説明すると、前側急変部１５は、側縁外形線１０の外側に中心点を有する１０mm以下、好ましくは５〜３mmの曲率半径Ｒ１の円弧で構成され、中央部外形線１３は、側縁外形線１０の外側に中心点を有する前側急変部１５の曲率半径Ｒ１に対して２０倍以上（２００mm以上）、好ましくは４０倍〜７０倍の曲率半径Ｒ３の円弧又は直線（Ｒ３＝∞）で構成され、前側外形線１４は、側縁外形線１０の外側に中心点を有する前側急変部１５の曲率半径Ｒ１に対して１０倍以上の曲率半径Ｒ２の円弧又は直線（Ｒ２＝∞）で構成されている。
【００４８】
また、後側急変部１８は、側縁外形線１０の外側に中心点を有する１０mm以下、好ましくは５〜３mmの曲率半径Ｒ４の円弧で構成され、後側外形線１７は、側縁外形線１０の外側に中心点を有する後側急変部１８の曲率半径Ｒ４に対して１５倍以上の曲率半径Ｒ５の円弧又は直線（Ｒ５＝∞）で構成されている。
【００４９】
さらに、中央部外形線１３の始端と終端とを結んだ線Ｌ１と、前側外形線１４の始端と終端とを結んだ線Ｌ２との交角θ１は、図３に示される人体の前側の鼠蹊部の角度α１に基づいて決定され、４５度以上６０度以下に設定されている。また、中央部外形線１３の始端と終端とを結んだ線Ｌ１と、後側外形線１７の始端と終端とを結んだ線Ｌ３との交角θ２は、図４に示される人体の後側の太ももと臀部の境目の丸みの角度α２に基づいて決定され、３０度以上５０度以下に設定されている。これら２つの交角θ１とθ２の関係は、鼠蹊部の角度と臀部の丸みに合わせてフィットさせやすくするため、θ１＞θ２とすることが好ましい。前記中央部外形線１３の始端と終端とを結んだ線Ｌ１は、失禁パッド１の長手方向中心線ＣＬとほぼ平行に、具体的には長手方向中心線ＣＬに対して±２０度の角度差で形成することが好ましい。
【００５０】
排尿口部Ｈ及び臀部溝開始部Ｍとのパッド長手方向の位置的関係について説明すると、排尿口部Ｈは失禁パッド１の前端から１００〜１５０mm、好ましくは１２０mmに中央部が位置するのが好ましく、この排尿口位置Ｈの中心部から後側に１００〜１５０mm、好ましくは１２０mmに臀部溝開始部Ｍが位置している。一方、前側急変部１５の中央部は、排尿口部Ｈの中央部から前側に１０〜２０mm離隔して形成することが好ましい。また、後側急変部１８の中央部は、臀部溝開始部Ｍの中央部から前側に１０〜２０mm離隔して形成することが好ましい。これにより、失禁パッド１が身体の形状に沿って確実にフィットするようになる。前記臀部溝開始部Ｍとは、股間部から後側に沿って臀部溝が始まる位置であって、装着時に脚の大腿部から内側に向けて最も圧力を受ける位置のことである。
【００５１】
本失禁パッド１では、前述の通り、側縁外形線１０に外形線の方向を急激に変化させた急変部１５、１８を設けることによって、装着時にパッド１を身体の形状に沿って変形しやすくしている。図４に示されるように、失禁パッド１は、装着時に脚の大腿部付け根から内側方向に向かう圧縮力Ｆ、Ｆが作用することによって、失禁パッド１の長手方向中央部では、幅方向中央部Ａ１が肌側に隆起するように変形する一方で、この反動で幅方向両側部Ａ２が非肌側に引き下がるように変形する。この幅方向両側部Ａ２の非肌側への変形は、パッド長手方向にも伝播するが、このときパッド長手方向の前側では、前記前側急変部１５を形成してあるため、この前側急変部１５が基点となって、前側の幅方向両側部Ａ３が逆に反り返るように肌側に引き上げられる変形が生じ、これにつられて幅方向中央部Ａ４も肌側に持ち上げられる（図５参照）。
【００５２】
一方で、幅方向両側部Ａ２の非肌側への変形は、パッド長手方向の後側にも伝播するが、パッド後側にも、前記後側急変部１８を形成してあるため、この後側急変部１８が基点となって、後側の幅方向両側部Ａ５が逆に反り返るように肌側に引き上げられる変形が生じ、これにつられて幅方向中央部Ａ６も肌側に持ち上げられる（図５参照）。
【００５３】
このように本失禁パッド１は、装着時に身体の形状に沿うような立体を作る手間をかけずに、装着するだけで自然と装着者の股間部から下腹部及び臀部にかけての前側及び後側の身体の形状に沿ってフィットするようになる。
【００５４】
前端縁外形線１１及び後端縁外形線１２は、図１に示されるように、失禁パッド１の幅方向中央部で外側に膨出する曲線で形成することができ、この他に、直線や折れ線、波線などのいずれか又は組み合わせによって形成しても良い。
【００５５】
本失禁パッド１は、パッド前側及び後側の変形をより容易にするため、種々の形態で形成することができる。その変形例について、以下説明する。
【００５６】
図６及び図７に示されるように、本失禁パッド１は、前記サイド不織布７の内方側部分をほぼ二重に折り返すとともに、この二重シート内部に、その高さ方向の少なくとも先端部に両側または長手方向の適宜の位置が固定された糸状弾性伸縮部材２０を配設するとともに、この二重シート部分を前後端部で外側に折り畳んで積層した状態で吸収体４側に接着することによって、幅方向外側に向けて肌側に起立する立体ギャザーＢＳ、ＢＳを設けることができる。前記糸状弾性伸縮部材２０は、肌側への起立を強くするため、立体ギャザーＢＳの起立先端部から２mm以内に少なくとも１本配設することが好ましく、さらにこれより下方側に高さ方向に離間して複数条で配置することもできる。この立体ギャザーＢＳの起立範囲は、前側及び後側の急変部１５、１８が介在する幅方向領域（以下、それぞれ急変部形成領域２２、２３という。）を含む範囲とすることによって、装着時に失禁パッド１が自然に変形することに加えて、糸状弾性伸縮部材２０の収縮力によって前側及び後側がより立ち上がりやすくなる。前記糸状弾性伸縮部材２０の太さは、３００〜１０００dtexが好ましく、４００〜５５０dtexがより好ましい。
【００５７】
図８に示されるように、失禁パッド１は、透液性表面シート３の面側に、左右対で略パッド長手方向に沿うとともに、パッド長手方向の中央部で離間幅が極小となるエンボス溝２１を形成することができる。前記エンボス溝２１は、図８(A)では、前後の急変部形成領域２２、２３の間のパッド長手方向の中央部に形成してあり、図８(B)では、急変部形成領域２２、２３で離間する不連続状に形成してある。これによって、装着時に失禁パッド１の折れ基点となる急変部形成領域２２、２３にはエンボス溝２１が形成されないため、失禁パッド１の折り曲げの妨げとなることがなくなる。また、図８(C)では、急変部形成領域２２、２３においてエンボス溝２１の離間幅が極大となる形状で形成することによって、この部分が折れ基点となるようにしている。なお、図示例では、左右のエンボス溝２１、２１間の前側及び後側にそれぞれ、ほぼパッド幅方向に沿うとともに外側に膨出した形状でエンボス溝２１ａ、２１ａが設けられている。
【００５８】
また、図９に示されるように、吸収体４の急変部形成領域２２、２３に対応する領域に、吸収体４を長手方向に折り曲げやすくするための折り容易化手段を施すことができる。図示例では、前記折り容易化手段として、急変部形成領域２２、２３に対応する吸収体４の両側縁に、三角形状に切り欠いた凹部２４、２４…を形成している。このような吸収体を切り欠いた凹部２４に代えて、この部分の吸収体厚を薄くしたり、急変部形成領域２２、２３に対応する領域に沿って吸収体厚を薄くしたりすることによって前記折り容易化手段を形成してもよい。
【００５９】
ところで、前記吸収体４は、外形線の方向を急激に変化させているのに合わせて、図１０に示されるように、吸収体幅を急激に変化させるようにしても良い。これにより、外形線の広がり部分にコシを持たせることができるようになる。
【００６０】
さらに、図１１に示されるように、少なくとも前側急変部１５より前側の領域に、クレープ紙又は不織布からなる補強層２５を設けることができる。図示例では、失禁パッド１の両側部のパッド全長に亘る領域であって、内側を吸収体４と不透液性裏面シート２との間に介在させ、その外側をサイド不織布７と不透液性裏面シート２との間に介在させた補強層２５が設けられている。前記補強層２５を設けることによって、特に吸収体４が介在しないフラップ部分にコシを持たせることができ、この部分を変形させやすくなる。前記補強層２５は、幅方向に連続的に設けることもできるし、長手方向中央部で離間させ前側と後側とで別々に設けることもできる。
【００６１】
図１２に示されるように、失禁パッド１の幅方向両側部のサイド不織布７と不透液性裏面シート２との間であって、少なくとも前側急変部１５を含む範囲に、失禁パッド１の長手方向に沿って１又は複数条の弾性伸縮部材２６を配設することができる。図示例では、後側急変部１８を含む範囲にも弾性伸縮部材２６を配設している。この弾性伸縮部材２６を配設することによって、失禁パッド１の前側部分又は後側部分が肌側へ倒れやすくなり、失禁パッド１が身体に沿いやすくなる。前記弾性伸縮部材２６は、失禁パッド１の長手方向に沿って前側から後側にかけて連続的に設けても良い。
【００６２】
また、図１３に示されるように、周縁部のほぼ全周に亘って全周シール部２７が設けられた失禁パッド１において、少なくとも前側急変部１５を含む領域に、前記全周シール部２７の間欠部（図示せず）を形成するか、全周シール部２７の一部を窪ませた凹部２７ａ（図示例）を形成することができる。図示例では、前記凹部２７ａは後側急変部１８を含む領域にも形成している。前記凹部２７ａを形成することによって、この凹部２７ａを折れ基点として失禁パッド１の前側が折り曲げやすくなる。
【００６３】
失禁パッド１の長手方向中央部は、幅寸法が下着のクロッチ部分の幅と同等又はそれ以下とすることもできるが、パッド両側部が下着のクロッチ部分の両側から外側にみ出るような幅広の幅寸法で形成することが好ましい。これによって、体液の吸収によって吸収体４が肌側に隆起した際、その反動で幅方向両側部が非肌側に引き下がりやすくなり、前後の領域がより折れ曲がりやすくなる。
【符号の説明】
【００６４】
１…失禁パッド、２…不透液性裏面シート、３…透液性表面シート、４…吸収体、５…クレープ紙、７…サイド不織布、１０…側縁外形線、１１…前端縁外形線、１２…後端縁外形線、１３…中央部外形線、１４…前側外形線、１５…前側急変部、１６…反転部、１７…後側外形線、１８…後側急変部、１９…反転部、２０…糸状弾性伸縮部材、２１…エンボス溝、２２・２３…急変部形成領域、２４…凹部、２５…補強層、２６…弾性伸縮部材、２７…全周シール部
【図１】
0005934505.tif 000002
【図２】
0005934505.tif 000003
【図３】
0005934505.tif 000004
【図４】
0005934505.tif 000005
【図５】
0005934505.tif 000006
【図６】
0005934505.tif 000007
【図７】
0005934505.tif 000008
【図８】
0005934505.tif 000009
【図９】
0005934505.tif 000010
【図１０】
0005934505.tif 000011
【図１１】
0005934505.tif 000012
【図１２】
0005934505.tif 000013
【図１３】
0005934505.tif 000014